(57)【要約】【課題】  電子ペーパに表示される情報の漏洩防止と電子ペーパの持出し防止を図った電子ペーパおよびセキュリティシステムを提供する。【解決手段】  この電子ペーパ１Ａは、薄型矩形状の電子ペーパ本体２と、この電子ペーパ本体２に対し着脱可能に設けられ、電源部とメモリ部を有するカートリッジ５Ａとから構成され、カートリッジ５Ａが電子ペーパ本体２から取り外されると、制御部４に電源が供給されなくなり、表示部３は表示不能となり、さらにメモリ部５４を有するカートリッジ５Ａが回収されるため、電子ペーパ１Ａ上の機密情報の持出しを防止することができる。【選択図】    図１
2006350190.tif 000002
【特許請求の範囲】
【請求項１】
電池駆動により画像を表示する表示部を有する本体と、
画像データを記憶する記憶部と、
前記画像データに基づいて前記表示部に画像を表示する制御部と、
前記表示部および前記制御部に電源を供給する電池と、
前記本体に着脱可能に設けられ、前記本体から外されることにより、前記本体側から前記画像を消去させる着脱部とを備えたことを特徴とする電子ペーパ。
【請求項２】
前記本体は、前記表示部の他に前記記憶部および前記制御部を備え、
前記着脱部は、前記電池を備え、
前記制御部は、前記着脱部が前記本体から外されたとき、前記記憶部の記憶内容を消去することを特徴とする請求項１に記載の電子ペーパ。
【請求項３】
前記本体は、前記表示部の他に前記電池および前記制御部を備え、
前記着脱部は、前記記憶部を備え、
前記制御部は、前記着脱部が前記本体から外されたとき、前記表示部に表示されている前記画像を消去することを特徴とする請求項１に記載の電子ペーパ。
【請求項４】
前記着脱部は、前記記憶部および前記電池を備えたことを特徴とする請求項１に記載の電子ペーパ。
【請求項５】
前記制御部は、前記着脱部が前記本体から外されるとき、前記記憶部の記憶内容を消去することを特徴とする請求項３又は４に記載の電子ペーパ。
【請求項６】
前記着脱部は、読取装置によって読み取り可能な識別情報の記録部を備えたことを特徴とする請求項１に記載の電子ペーパ。
【請求項７】
前記記憶部は、前記画像を複数ページ分記憶し、
前記制御部は、ページ送り操作に基づいて前記表示部に表示する前記画像をページ送りすることを特徴とする請求項１に記載の電子ペーパ。
【請求項８】
電子ペーパの本体から外された着脱部を投入する投入口と、
前記着脱部の前記投入口への投入に基づいて、ゲートを解放して利用者の通過を許可するゲート制御部とを備えたことを特徴とするセキュリティシステム。
【請求項９】
識別情報が記録された記録部を有する着脱部であって、電子ペーパの本体から外された前記着脱部を投入する投入口と、
前記投入口に投入された前記着脱部から前記識別情報を読み取る読取部と、
前記読取部によって読み取られた前記識別情報に基づいて、利用者の通過が可能なゲートの開閉を行うゲート制御部とを備えたことを特徴とするセキュリティシステム。
【発明の詳細な説明】
【技術分野】
【０００１】
本発明は、セキュリティ性の向上を図った電子ペーパおよびセキュリティシステムに関する。
【背景技術】
【０００２】
電子ペーパは、規定領域における知的コラボレーションを支援するツールとして広く普及する可能性を秘めている。規定領域とは、電子ペーパがコラボレーションに参加する個人に配布され、電子ペーパ上に表示された情報を基にコラボレーションが実行され、コラボレーション終了後に、電子ペーパは回収され、参加した個人がそこから退出する空間（閲覧場所）をいう。
【０００３】
電子ペーパ上には機密情報が表示されることもあるため、退出時には表示情報を消去しなければならない。また、電子ペーパは表示装置としてまだまだ高価であるため、上記空間から持出しは制限されているのが現状である。
【０００４】
電子ペーパに表示される情報の漏洩防止と電子ペーパの持出し防止を図った従来のセキュリティシステムとして、例えば、電子ペーパに通信手段を持たせ、特定電波の発信源を備えた規定領域から受信できなくなったときに、電子ペーパの表示を消去させる方法が知られている（特許文献１参照）。
【特許文献１】特開２００４−０３７８２９号公報
【発明の開示】
【発明が解決しようとする課題】
【０００５】
しかし、従来のセキュリティシステムでは、電子ペーパに、通信手段と、特定電波の発信源を設ける必要があるため、コスト高を招く。また、電子ペーパ自体の持ち出しを防止できない。また、表示情報を電波により電子ペーパに配信しているため、規定領域外で無線傍受されたり、規定領域で無線傍受され、それを他の媒体に記録されるおそれがあり、無線を用いること自体にセキュリティ上の問題を生じる。
【０００６】
従って、本発明の目的は、電子ペーパに表示される情報の漏洩防止と電子ペーパの持出し防止を図った電子ペーパおよびセキュリティシステムを提供することにある。
【課題を解決するための手段】
【０００７】
本発明の第１の態様は、上記目的を達成するため、電池駆動により画像を表示する表示部を有する本体と、画像データを記憶する記憶部と、前記画像データに基づいて前記表示部に画像を表示する制御部と、前記表示部および前記制御部に電源を供給する電池と、前記本体に着脱可能に設けられ、前記本体から外されることにより、前記本体側から前記画像を消去させる着脱部とを備えたことを特徴とする電子ペーパを提供する。
【０００８】
上記電子ペーパによれば、着脱部を本体から外すと、本体側から画像が消去されるので、電子ペーパの本体に表示される情報の漏洩を防ぐことができる。
【０００９】
表示部は、電池駆動可能であって、無電源でも表示を継続するメモリ性を有していないものが好ましい。通常、電池駆動のためには、メモリー性を有する電気泳動方式、ツイストボール式、コレステリック液晶，ゲストホスト型液晶等の液晶等の低消費電力の表示方式が使われている。しかし、本発明は無電源で表示が保持されないように、メモリー性を有しないか、あるいは、メモリー性に乏しい、例えば、ＥＬ（エレクトロルミネッセンス）等の表示方式が好ましい。すなわち、セキュリティシステムの中で使用される電子ペーパの場合、第一義的目的は、電池寿命を延ばす表示方式を選ぶことではなく、電池が取り外されたときに、速やかに、もしくは短時間（数秒から十数秒程度）で表示が消滅することである。但し、メモリー性を有する表示方式が適用できないわけではなく、電源が外れたときに、表示ページ消去するように電子回路を付加することで対応することもできる。
【００１０】
上記着脱部は、薄型の矩形状あるいは円形状の形態を有してもよい。これにより、着脱部を回収するための投入口へ投入し易くなり、着脱部の回収が容易となる。
【００１１】
前記本体は、前記表示部の他に前記記憶部および前記制御部を備え、前記着脱部は、前記電池を備え、前記制御部は、前記着脱部が前記本体から外されたとき、前記記憶部の記憶内容を消去する構成とすることができる。
【００１２】
前記本体は、前記表示部の他に前記電池および前記制御部を備え、前記着脱部は、前記記憶部を備え、前記制御部は、前記着脱部が前記本体から外されたとき、前記表示部に表示されている前記画像を消去する構成とすることができ。
【００１３】
着脱部を本体に装着したとき、着脱部と本体とは電気的に接続される。電気的接続部は、オス側コネクタとメス側コネクタの組合せや、導電パターンにばね導体を押し付ける方式等を用いることができる。
【００１４】
前記着脱部は、前記記憶部および前記電池を備えた構成とすることができる。この構成によれば、着脱部を本体から外すことにより、表示部に電源が供給されなくなり、表示部から画像が消える。
【００１５】
前記着脱部が前記記憶部を備えてい場合、前記制御部は、前記着脱部が前記本体から外されるとき、前記記憶部の記憶内容を消去する構成とすることができる。本体のみならず、着脱部からも画像を消去することにより、情報の漏洩防止がより完全になる。
【００１６】
前記着脱部は、読取装置によって読み取り可能な識別情報の記録部を備えた構成とすることができる。読取装置は、磁気的、光学的、無線、接触式、非接触式等の各種の読取方式を採用することができる。記録部は、読取方式に対応したものを用いることができ、例えば、磁気的方式には磁気テープや磁化反転現象や磁歪振動効果等を利用した磁気タグ等、光学的方式にはバーコード等、無線方式には無線ＩＣタグ等を用いることができる。
【００１７】
前記記憶部は、前記画像を複数ページ分記憶し、前記制御部は、ページ送り操作に基づいて前記表示部に表示する前記画像をページ送りする構成とすることができる。複数ページの画像を表示できるので、利便性が向上する。
【００１８】
本発明の第２の形態は、上記目的を達成するため、電子ペーパの本体から外された着脱部を投入する投入口と、前記着脱部の前記投入口への投入に基づいて、ゲートを解放して利用者の通過を許可するゲート制御部とを備えたことを特徴とするセキュリティシステムを提供する。
【００１９】
上記セキュリティシステムによれば、着脱部を回収できたときにゲートを開けて利用者の通過を許可することにより、電子ペーパの持ち出しを防ぐことが可能となる。
【００２０】
本発明の第３の形態は、上記目的を達成するため、識別情報が記録された記録部を有する着脱部であって、電子ペーパの本体から外された前記着脱部を投入する投入口と、前記投入口に投入された前記着脱部から前記識別情報を読み取る読取部と、前記読取部によって読み取られた前記識別情報に基づいて、利用者の通過が可能なゲートの開閉を行うゲート制御部とを備えたことを特徴とするセキュリティシステムを提供する。
【００２１】
上記セキュリティシステムによれば、着脱部を回収できたときにゲートを開けて利用者の通過を許可することにより、電子ペーパの持ち出しを防ぐことが可能となるとともに、着脱部の識別情報を管理することにより、電子ペーパの本体からの情報漏洩をより確実に防ぐことができる。すなわち、着脱動作により、電子ペーパにおける現表示が消去されるという効果、および、電子ペーパ内のメモリーに蓄積された複数ページ表示用のデータを消去する効果が実現される。また、電子ペーパを着脱部とそれ以外の部分に分離することで、電子ペーパの機能をそのままでは実現できなくすることで、持ち出す動機を消滅させることができる。特開２００４−０３７８２９号公報の場合には、ハードとしての電子ペーパー全体が持ち出される可能性があり、それを用いて、セキュリティ空間の外で無線傍受すれば、表示できる可能性がある。それに対し、本形態は、ハード自体を分離する場合には、それをそのまま利用できないという意味において、「持ち出し防止」の効果がある。
【発明の効果】
【００２２】
本発明によれば、電子ペーパに表示される情報の漏洩防止と電子ペーパの持出し防止を図ることができる。
【発明を実施するための最良の形態】
【００２３】
［第１の実施の形態］
図１は、本発明の第１の実施の形態に係る電子ペーパの斜視図である。図２は、カートリッジを示し、（ａ）は平面図、（ｂ）はメモリ部の記憶領域を示す図である。この電子ペーパ１Ａは、図１に示すように、薄型矩形状の電子ペーパ本体２と、この電子ペーパ本体２に対し、着脱可能に設けられた着脱部としてのカートリッジ５Ａとから構成されている。
【００２４】
（電子ペーパ本体）
電子ペーパ本体２は、図１に示すように、画像を表示する表示部３と、ページ送りキー６と、後述するメモリ部から画像データを読み出して表示部３に画像を表示するとともに、ページ送りキー６の操作に基づいて表示部３に表示する画像のページ送りを行う制御部４とを備える。
【００２５】
表示部３は、着脱可能な薄膜型電源で駆動可能な構成を有し、着脱後、表示が瞬時に消滅するか、短時間（数秒から十数秒程度）で消滅するものが好ましい。このような表示部３として、例えば、特開２００２−２２９１８号公報に記載されるような、エレクトロクロミック材料、エレクトロルミネッセンス材料、液晶材料等の双安定な「コントラスト媒体」を電子的にアドレス指定可能な駆動回路により表示するという一般的な構成を採ることができ、また、例えば、特開２００４−０３７８２９号公報に記載されているような、電気泳動方式、ツイストボール方式、ゲストホスト型液晶に電圧を加えて色素の吸収を変化させる方式、コレステリック液晶と有機感光体複合膜により構成されるものを用いることができるが、これらに限定されない。すなわち、材料設計、デバイス構造の選択、駆動方法の選択等により、表示のメモリー性を長時間から短時間に制御することは可能だからである。
【００２６】
（カートリッジ）
カートリッジ５Ａは、図１に示すように、電子ペーパ本体２の厚みとほぼ等しい薄型矩形状のケース５０と、ケース５０の一側面に設けられ、電子ペーパ本体２に設けられたガイド突部２０に嵌合するガイド溝部５０ａと、ケース５０の表面に設けられた無線ＩＣタグ５１と、図２（ａ）に示す電源部５３およびメモリ部５４を制御部４に電気的に接続するオス側コネクタ５２Ａとを備える。
【００２７】
電子ペーパ本体２側には、複数のメス端子５２ｂを有するメス側コネクタ５２Ｂが設けられており、オス側コネクタ５２Ａは、メス側コネクタ５２Ｂの複数のメス端子５２ｂに電気的に接続される複数のオス端子５２ａを有する。なお、カートリッジ５Ａの大きさ、形状、位置等は図１、図２のもの限定されない。
【００２８】
電源部５３は、表示部３および制御部４の駆動のための電力を供給するものであり、例えば、特開２００３−２９７３７４号公報に開示されている可撓性薄膜開放電気化学電池を用いることができる。本電池は、１ｍｍ以下の厚みが達成可能であり、数時間の会議等で使用する表示装置の駆動には十分の電源を提供する。従って、電子ペーパ本体２に装着しても違和感なく本体２に収まり、電子ペーパ１Ａの使用上問題なく電源供給が可能である。
【００２９】
メモリ部５４は、図２（ｂ）に示すように、画像データが書き込まれる画像データ領域５４ａと、電子ペーパ１Ａの識別情報（ＩＤ）が書き込まれるＩＤ領域５４ｂが設けられている。
【００３０】
なお、カートリッジ５Ａは、後述する出口ゲート部の投入口に投入した際の衝撃を緩和して電源部５３、メモリ部５４、オス側コネクタ５４Ａ等の破損を防止するために、保護層を設けるのが好ましい。
【００３１】
（セキュリティシステム）
図３は、図１、図２に示す電子ペーパ１Ａを用いたセキュリティシステムの一例を示す。電子ペーパ１Ａの使用が許可される使用空間（規定領域）２００が、壁２０１によって区画されており、使用空間２００の前方には、プレゼンテーション用ディスプレイ２０２が設けられている。
【００３２】
このセキュリティシステム１００は、使用空間２００の入口に入口ゲート部１１０を設置し、出口に出口ゲート部１２０を設置している。
【００３３】
図４は、セキュリティシステム１００の制御系を示す。このセキュリティシステム１００は、本システム１００全体を制御するパーソナルコンピュータ（ＰＣ）１０１を有し、このＰＣ１０１に、記憶装置１０２と、画像書込装置１０３と、入口ゲート部１１０に設置されたＩＤ書込装置１１１および入口ゲート１１２と、出口ゲート１２０に設置されたＩＤ読取装置１２１、カートリッジ回収部１２２および出口ゲート１２３とを接続している。
【００３４】
ＰＣ１０１は、キーボード，マウス等の入力デバイスと、液晶ディスプレイ等のディスプレイと、このシステム１００全体を制御するＣＰＵと、ＲＯＭ，ＲＡＭ等の記憶部とを備える。
【００３５】
記憶装置１０２には、電子ペーパ１Ａの表示部３に表示するための画像データと、電子ペーパ１ＡのＩＤが登録されたＩＤリストとが記憶されている。ＩＤリストには、ＩＤに対応して電子ペーパ１Ａの使用者の氏名，企業名等の個人情報が登録されている。記憶装置１０２には、例えば、ハードディスクを用いることができる。
【００３６】
画像書込装置１０３は、ＰＣ１０１から送信された複数ページ分の画像データを、電子ペーパ１Ａから抜き出されたカートリッジ５Ａのメモリ部５４の画像データ領域５４ａにオス側コネクタ５２Ａを介して書き込むように構成されている。また、画像書込装置１０３は、メモリ部５４に画像データを書き込む際に、電源部５３の電源チェックを行い、充電不足の場合は、それを示すランプが点灯するように構成されている。なお、画像データの書き込み方法は、他の方法を用いてもよい。例えば、カートリッジ５Ａからメモリ部５４を抜き出し、それを画像書込装置１０３に接続してメモリ部５４に直接書き込んでもよく、また、無線ＩＣタグ５１を介してメモリ部５４に書き込んでもよい。
【００３７】
ＩＤ書込装置１１１は、ＰＣ１０１から送信されたＩＤを、電子ペーパ本体２にカートリッジ５Ａが装着された状態で、無線ＩＣタグ５１を介してメモリ部５４のＩＤ領域５４ｂに書き込むように構成されている。なお、ＩＤの書き込み方法は、他の方法を用いてもよい。例えば、電子ペーパ本体２からカートリッジ５Ａを抜き出し、オス側コネクタ５２Ａを介してメモリ部５４のＩＤ領域５４ｂに書き込んでもよい。また、カートリッジ５Ａからメモリ部５４を抜き出し、それをＩＤ書込装置１１１に接続してメモリ部５４に直接書き込んでもよい。
【００３８】
カートリッジ回収部１２２は、カートリッジ５Ａを投入する図示しない投入口と、投入口に投入されたカートリッジ５Ａを回収する図示しない回収箱とを備える。
【００３９】
ＩＤ読取装置１２１は、カートリッジ回収部１２２の投入口に投入されたカートリッジ５Ａのメモリ部５４のＩＤ領域５４ｂから無線ＩＣタグ５１を介してＩＤを読み取るように構成されている。
【００４０】
（セキュリティシステムの動作）
次に、第１の実施の形態の電子ペーパ１Ａを用いたセキュリティシステム１００の動作を説明する。
【００４１】
（１）画像の書込み
まず、プレゼンテーションの主催者が参加者の人数に対応した数のカートリッジ５Ａに画像データを書き込む。すなわち、主催者がＰＣ１０１の入力デバイスを操作し、記憶装置１０２から読み出した画像データをＰＣ１０１のディスプレイに表示し、入力デバイスの操作により、メモリ部５４に書き込む複数ページ分の画像データを選択する。ＰＣ１０１のＣＰＵは、選択された画像データを画像書込装置１０３に送信する。
【００４２】
画像書込装置１０３は、ＰＣ１０１から送信された複数ページ分の画像データを、電子ペーパ１Ａから抜き出されたカートリッジ５Ａのメモリ部５４の画像データ領域５４ａにオス側コネクタ５２Ａを介して書き込む。また、画像書込装置１０３は、電源部５３の電源チェックを行い、充電不足の場合には、それを示すランプを点灯する。充電不足の場合は、画像書込装置１０３が電源部５３を再充電を行うが、電源部５３を充電済みのものと交換してもよい。これにより、電子ペーパ１Ａの使用中に電源が切れて使用不能になるおそれがなくなる。
【００４３】
（２）ＩＤの書込み
ＩＤ書込装置１１１は、入口ゲート部１１０で電子ペーパ１ＡにＩＤを書き込み、参加者に電子ペーパ１Ａを渡す。すなわち、主催者がＰＣ１０１の入力デバイスを操作し、記憶装置１０２から読み出したＩＤリストをＰＣ１０１のディスプレイに表示し、入力デバイスの操作により、メモリ部５４に書き込むＩＤを選択する。ＰＣ１０１のＣＰＵは、選択されたＩＤをＩＤ書込装置１１１に送信する。ＩＤ書込装置１１１は、ＰＣ１０１から送信されたＩＤを無線ＩＣタグ５１を介してメモリ部５４のＩＤ領域５４ｂに書き込み、ＩＤ書込完了信号をＰＣ１０１に送信する。ＰＣ１０１は、ＩＤ書込装置１１１から書込完了信号を受信すると、入口ゲート１１２を開放する。主催者は、ＩＤが書き込まれたカートリッジ５Ａを電子ペーパ本体２に装着し、参加者Ｐｂに渡す。参加者Ｐｂは、電子ペーパ１Ａを持って入口ゲート１１２を通って電子ペーパ１Ａの使用空間２００に入室し、着席る。なお、電子ペーパ本体２は、使用空間２００内で参加者Ｐｂに渡してもよく、また使用空間２００外で渡してもよい。
【００４４】
（３）プレゼンテーション
プレゼンタＰａは、参加者Ｐｂと対面し、プレゼンテーション用ディスプレイ２０２に会議資料等の画像を表示しながら参加者Ｐｂにプレゼンテーションを行う。各参加者Ｐｂは、電子ペーパ１Ａを持っており、プレゼンテーションの進行状況に応じて電子ペーパ１Ａのページ送りキー６を操作し、制御部４により表示部３の表示を切り替えさせる。参加者Ｐｂは、電子ペーパ１Ａに表示される情報、およびプレゼンテーション用ディスプレイ２０２に表示される情報に基づいて議論等に参加する。
【００４５】
電子ペーパ１Ａ上に表示される情報と、プレゼンテーション用ディスプレイ２０２に表示される情報は必ずしも同一である必要はない。その理由は、プレゼンタＰａは、自らプリゼンテーションに使う情報と、会議に参加するために参加者Ｐｂに提供する情報を使い分けることができるからである。例えば、プレゼンタＰａが行った講義の理解度をチェックする場合、プレゼンテーション用ディスプレイ２０２に表示される情報は講義内容とし、電子ペーパ１Ａ上に表示される情報はチェックテストの問題であってもよい。
【００４６】
（４）カートリッジの回収、ＩＤの読み取り
プレゼンテーションが終了すると、参加者Ｐｂに、電子ペーパ本体２からカートリッジ５Ａを引き抜いてもらう。電子ペーパ本体２からカートリッジ５Ａを引き抜くと、表示部３に電源が供給されなくなり、表示部３の表示が消える。
【００４７】
参加者Ｐｂは、電子ペーパ本体２を机の上に置いたまま退席し、出口ゲート部１２０に設置されているカートリッジ回収部１２２の図示しない投入口にカートリッジ５Ａを投入する。ＩＤ読取装置１２１は、投入口に投入されたカートリッジ５ＡのＩＤ領域５４ｂから無線ＩＣタグ５１を介してＩＤを読み取り、そのＩＤをＰＣ１０１に送信する。
【００４８】
ＰＣ１０１のＣＰＵは、ＩＤ読取装置１２１から送信されたＩＤが記憶装置１０２に記憶されているＩＤリストのいずれかのＩＤと一致するかを判定し、一致するＩＤが存在していれば、出口ゲート１２３を開放する。参加者Ｐｂは、出口ゲート１２３から退室する。カートリッジ５Ａは、カートリッジ回収部１２２の図示しない回収箱に回収される。
【００４９】
読み取られたＩＤがＩＤリストに存在しない場合、あるいはＩＤが読取不能の場合には、出口ゲート１２３は開かずに、カートリッジ５Ａは排出口から排出される。
【００５０】
（第１の実施の形態の効果）
この第１の実施の形態によれば、以下の効果を奏する。
（イ）カートリッジ５Ａが電子ペーパ本体２から取り外されると、制御部４に電源が供給されなくなり、表示部３は表示不能となり、さらにメモリ部５４を有するカートリッジ５Ａが回収されるため、電子ペーパ１Ａ上の機密情報の持出しを防止することができる。
（ロ）カートリッジ５Ａを電子ペーパ本体２から外さないと、退室できないため、電子ペーパ１Ａの持ち出しを防止することができる。
（ハ）電子ペーパ１Ａへの表示は、電子ペーパ１Ａ内のメモリ部５４に記憶されている画像データに基づいて信号線を介して行われるので、無線等でデータ配信する従来例と比べて使用空間２００あるいはその近傍でのデータの盗み見の危険が減り、堅牢なセキュリティを実現することができる。
（ニ）電子ペーパ１Ａをプレゼンテーション用ディスプレイ２０２の表示と連動しないスタンドアローン型とし、プレゼンタＰａがプリゼンテーションに使う情報のうち一部の情報、あるいは要約した情報を電子ペーパ１Ａに表示するようにしているので、電子ペーパ１Ａで表示するページ数が少なくなり、メモリ部５４のメモリ容量および電源部５３への負担を減らすことができる。
（ホ）電子ペーパ１Ａ上に表示される情報は、事前にメモリ部５４に書き込むことで、必要最小限の機密データを参加者に供給することができる。
【００５１】
なお、セキュリティ性をより高めるため、カートリッジ５Ａが電子ペーパ本体２から外されたとき、メモリ部５４内の画像データを自動的に消去するようにしてもよい。例えば、メモリ部５４を揮発性メモリから構成し、カートリッジ５Ａが電子ペーパ本体２から外されたとき、電源部５３から揮発性メモリへの電源供給を停止してもよい。
【００５２】
[第２の実施の形態]
図５（ａ）は、本発明の第２の実施の形態に係る電子ペーパを示し、（ｂ）は（ａ）のＡ−Ａ線断面図である。この電子ペーパ１Ｂは、第１の実施の形態とは、カットリッジ５Ｂが異なり、他は第１の実施の形態と同様に構成されている。なお、同図において、カートリッジ５Ｂと電子ペーパ本体２との電気的接続部は図示を省略している。
【００５３】
このカートリッジ５Ｂは、電子ペーパ本体２よりも薄い薄型円形状のケース５０と、ケース５０内に配置された電源部５３およびメモリ部５４と、電源部５３およびメモリ部５４から導出され、カートリッジ５Ｂの底面から露出する複数のピン５５と、ケース５０の離脱を防止するキャップ５６とを備える。
【００５４】
キャップ５６は、ゴム等の弾性部材からなり、電子ペーパ本体２に嵌合することにより、キャップ５６が有する弾性力によってケース５０の離脱を防止できるようになっている。なお、キャップ５６を樹脂あるいは金属から作製し、ばね部材によってキャップ５６をケース５０側に押し付ける構造にしてもよい。
【００５５】
電子ペーパ本体２には、ケース５０およびキャップ５６が嵌合する嵌合凹部２１と、カートリッジ５Ｂのピン５５が挿入される接続ホール２２とを有し、ピン５５を接続ホール２１に接続するとともに、ケース５０およびキャップ５６を嵌合凹部２１に嵌合することにより、電源部５３およびメモリ部５４がピン５５および接続ホール２２を介して表示部３および制御部４に電気的に接続されるように構成されている。
【００５６】
この第２の実施の形態によれば、第１の実施の形態と同様に、電子ペーパ１Ｂに表示される情報の漏洩防止と電子ペーパ１Ｂの持出し防止を図ることができるとともに、カートリッジ５Ｂが薄型円形状を有しているので、出口ゲート部１２０の投入口に投入し易くなる。
【００５７】
［第３の実施の形態］
図６は、本発明の第３の実施の形態に係る電子ペーパを示す。この第３の実施の形態は、第１の実施の形態において、メモリ部をカートリッジ５Ａから電子ペーパ本体２に移したものであり、他は第１の実施の形態と同様に構成されている。なお、同図において、カートリッジ５Ｃと電子ペーパ本体２との電気的接続部は図示を省略している。
【００５８】
電子ペーパ本体２に設けられたメモリ部７は、揮発性メモリから構成するのが好ましい。これにより、電源部５３を有するカートリッジ５Ｃを電子ペーパ本体２から取り外すことにより、メモリ部７に電源が供給されなくなり、メモリ部７の記憶内容を消去することができる。なお、メモリ部７を不揮発性メモリから構成してもよい。この場合は、カートリッジ５Ｃの電子ペーパ本体２からの取り外しを制御部４が検出し、制御部４がメモリ部７の記憶内容を消去すればよい。
【００５９】
本実施の形態では、画像データはメモリ部７に記憶されるが、ＩＤはＩＤ書込装置１１１により無線ＩＣタグ５１に記憶される。
【００６０】
この第３の実施の形態によれば、以下の効果を奏する。
（イ）カートリッジ５Ｃが電子ペーパ本体２から取り外されると、制御部４に電源が供給されなくなり、表示部３は表示不能となる。さらにメモリ部７を揮発性メモリから構成することにより、メモリ部７の記憶内容も消えるため、電子ペーパ１Ｃ上の機密情報の持出しを防止することができる。
（ロ）カートリッジ５Ｃを電子ペーパ本体２から外さないと、退室できないため、電子ペーパ１Ｃの持ち出しを防止することができる。
（ハ）カートリッジ５Ｃには、無線ＩＣタグ５１と電源部５３しか設けていないため、カートリッジ５Ｃのコスト低減を図ることができる。
【００６１】
［第４の実施の形態］
図７は、本発明の第４の実施の形態に係る電子ペーパを示す。この第４の実施の形態は、第１の実施の形態のカートリッジ５Ａから電源部５３を省き、電子ペーパ本体２に電源部８を配置したものであり、他は第１の実施の形態と同様に構成されている。なお、同図において、カートリッジ５Ｅと電子ペーパ本体２との電気的接続部は図示を省略している。
【００６２】
本実施の形態の制御部４は、カートリッジ５Ｄの電子ペーパ本体２からの取り外しを検出すると、表示部３の表示を消去するように構成されている。
【００６３】
この第４の実施の形態によれば、以下の効果を奏する。
（イ）カートリッジ５Ｄが電子ペーパ本体２から取り外されると、制御部４の制御により表示部３の表示が消え、さらにメモリ部５４を有するカートリッジ５Ａが回収されるため、電子ペーパ１Ｄ上の機密情報の持出しを防止することができる。
（ロ）カートリッジ５Ｄを電子ペーパ本体２から外さないと、退室できないため、電子ペーパ１Ｄの持ち出しを防止することができる。
（ハ）カートリッジ５Ｄは、無線ＩＣタグ５１とメモリ部５４しか設けていないため、カートリッジ５Ｄのコスト低減を図ることができる。
【００６４】
なお、本発明は、上記各実施の形態に限定されず、その発明の要旨を逸脱しない範囲内において種々な変形が可能である。また、本発明の要旨を逸脱しない範囲内で各実施の形態の構成要素を任意に組み合わせることができる。
【図面の簡単な説明】
【００６５】
【図１】本発明の第１の実施の形態に係る電子ペーパの斜視図である。
【図２】本発明の第１の実施の形態に係るカートリッジを示し、（ａ）は平面図、（ｂ）はメモリ部の記憶領域を示す図である。
【図３】本発明の第１の実施の形態に係る電子ペーパを用いたセキュリティシステムの一例を示す図である。
【図４】図３に示すセキュリティシステムの制御系を示すブロック図である。
【図５】（ａ）は、本発明の第２の実施の形態に係る電子ペーパを示し、（ｂ）は（ａ）のＡ−Ａ線断面図である。
【図６】本発明の第３の実施の形態に係る電子ペーパを示す図である。
【図７】本発明の第４の実施の形態に係る電子ペーパを示す図である。
【符号の説明】
【００６６】
１Ａ〜１Ｄ  電子ペーパ
２  電子ペーパ本体
３  表示部
４  制御部
５Ａ〜５Ｄ  カートリッジ
６  ページ送りキー
７  メモリ部
８  電源部
２０  ガイド突部
２１  嵌合凹部
２２  接続ホール
５０  ケース
５０ａ  ガイド溝部
５１  無線ＩＣタグ
５２Ａ  オス側コネクタ
５２ａ  オス端子
５２Ｂ  メス側コネクタ
５２ｂ  メス端子
５３  電源部
５４  メモリ部
５４ａ  画像データ領域
５４ｂ  ＩＤ領域
５５  ピン
５６  キャップ
１００  セキュリティシステム
１０１  ＣＰＵ
１０２  記憶装置
１０３  画像書込装置
１１０  入口ゲート部
１１１  画像書込装置
１１２  入口ゲート
１２０  出口ゲート部
１２１  ＩＤ読取装置
１２２  カートリッジ回収部
１２３  出口ゲート
２００  使用空間
２０１  壁
２０２  プレゼンテーション用ディスプレイ
Ｐａ  プレゼンタ
Ｐｂ  参加者
【図１】
2006350190.tif 000003
【図２】
2006350190.tif 000004
【図３】
2006350190.tif 000005
【図４】
2006350190.tif 000006
【図５】
2006350190.tif 000007
【図６】
2006350190.tif 000008
【図７】
2006350190.tif 000009